(57)【要約】      （修正有）【課題】充電器を具えた燃料電池装置の提供。【解決手段】充電器を具えた燃料電池装置１は、底台１０４、燃料電池重畳部１０６、システムファン１０８、ファンカバー１１０、ディスプレイ１００、回路板１１２、コンデンサー構造１１４、コンデンサーファン１１６、混合槽１１８及びポンプ１２０を含む。燃料電池重畳部は底台に固定し、陰極燃料入口１０６０は燃料電池重畳部の上表面の末端箇所で設置する。システムファンは、燃料電池重畳部の第一側辺に位置し、且つファンの一端は燃料電池重畳部の第一側辺にしっかりと固定する。ファンの別一端はシステムファンにしっかりと接合する。ディスプレイは燃料電池重畳部の第二側辺に設置する。回路板は底台に垂直に固定し、燃料電池重畳部の第三側辺に設置する。コンデンサー構造は、燃料電池重畳部の第四側辺の上表面に設置し、コンデンサー構造の入風口はシステムファンに接合する。【選択図】図２
0003134220.tif 000002
【実用新案登録請求の範囲】
【請求項１】
充電器を具えた燃料電池装置において、
底台と、
底台にしっかりと固定し、陰極燃料入口は上表面の末端箇所に設置する燃料電池重畳部と、
燃料電池重畳部の第一側辺に設置するシステムファンと、
一端が燃料電池重畳部の第一側辺にしっかりと接合し、別一端がシステムファンにしっかりと接合するファンカバーと、
燃料電池重畳部の第二側辺に設置するディスプレイと、
底台に垂直に固定し、燃料電池重畳部の第三側辺に設置する回路板と、
燃料電池装置の第四側辺と上表面に設置し、入風口をシステムファン接合するコンデンサー構造と、
コンデンサー構造の一側辺に固定するコンデンサーファンと、
コンデンサーファンと同じ側のコンデンサー構造の側辺にしっかりと合わせ、燃料電池装置の陽極燃料入口及びコンデンサー構造に各々通路連接する混合槽と、
混合槽の一側辺に設置するポンプを含むことを特徴とする充電器を具えた燃料電池装置。
【請求項２】
請求項１記載の充電器を具えた燃料電池装置において、前記ディスプレイは、小型液晶ディスプレイとすることを特徴とする充電器を具えた燃料電池装置。
【請求項３】
請求項１記載の充電器を具えた燃料電池装置において、前記燃料電池重畳部は、長方形の柱形状の外観であることを特徴とする充電器を具えた燃料電池装置。
【請求項４】
請求項１記載の充電器を具えた燃料電池装置において、前記燃料電池装置は、更に少なくとも一個以上の回路部品を含み、そのうちこれらの回路部品は回路板上に設置し、且つこれらの回路部品は燃料電池重畳部に電気連接することを特徴とする充電器を具えた燃料電池装置。
【請求項５】
請求項１記載の充電器を具えた燃料電池装置において、前記燃料電池装置は、更に連接インターフェイスを含み、少なくとも燃料電池重畳部が発する出力端として用い、且つ電子装置に連接して用いることを特徴とする充電器を具えた燃料電池装置。
【請求項６】
請求項１記載の充電器を具えた燃料電池装置において、前記ポンプは、混合槽と外付け式の燃料層の間に通路連接し、燃料槽内の燃料を引き上げて混合槽の第一入口に流入させることを特徴とする充電器を具えた燃料電池装置。
【請求項７】
請求項６記載の充電器を具えた燃料電池装置において、前記燃料電池装置は、更に第一ポンプを含み、混合槽と燃料電池重畳部の間に通路連接し、混合槽内の燃料を引き上げて燃料電池重畳部の陽極燃料入口に流入させることを特徴とする充電器を具えた燃料電池装置。
【請求項８】
請求項７記載の充電器を具えた燃料電池装置において、前記燃料電池装置は、更に第二ポンプを含み、混合槽と燃料電池重畳部の間に通路連接し、混合槽内の燃料を引き上げて混合槽の第二入口に流入させることを特徴とする充電器を具えた燃料電池装置。
【請求項９】
請求項８記載の充電器を具えた燃料電池装置において、前記燃料電池重畳部は、その陽極燃料出口と混合槽の第三入口が相互に連接することを特徴とする充電器を具えた燃料電池装置。
【請求項１０】
請求項４記載の充電器を具えた燃料電池装置において、前記これらの回路部品は、電力管理回路を構築して用いることを特徴とする充電器を具えた燃料電池装置。
【請求項１１】
請求項５記載の充電器を具えた燃料電池装置において、前記電子装置は、ノート型パソコン、携帯電話、携帯個人情報端末及び携帯型電子機器のうちのひとつであることを特徴とする充電器を具えた燃料電池装置。
【請求項１２】
請求項１記載の充電器を具えた燃料電池装置において、前記混合槽は、メタノール水溶液を保存することを特徴とする充電器を具えた燃料電池装置。
【請求項１３】
請求項６記載の充電器を具えた燃料電池装置において、前記外付け式の燃料槽は、純メタノールを保存するのに用いることを特徴とする充電器を具えた燃料電池装置。
【考案の詳細な説明】
【技術分野】
【０００１】
本考案は、充電器を具えた燃料電池装置に関するもので、特に自力発電でき、携帯充電機能を具えたものである。
【背景技術】
【０００２】
燃料電池は使用時間が極めて長く、充填不要、低汚染及び低騒音等の数々の特性を具え、世界中で環境保護が叫ばれる中、新しいエネルギー技術と目されている。現在、多くの高科学技術企業はマイクロ型燃料電池装置を現在の電池に移行する方向で発展続け、携帯式電子製品の電力源としている。
【０００３】
現在各業者が出している燃料電池装置は一種特定の電気設備にのみ使用できるもので、その他メーカーもしくはその他種類の電気製品には適合できない。また公知の燃料電池装置は現在まで充電機能を具えることが出来ず、そのため結合用の電気設備本体の独立電源を借りなければならず、更に電気設備本体に係わる水管理、熱管理などの措置が必要となるため、電力供給が中断する危険性もある。そのため、公知の燃料電池装置は上述の二点の欠点の他に更に大きな発展空間のために努力しなければならない。
【考案の開示】
【考案が解決しようとする課題】
【０００４】
燃料電池装置を提供し、各種電子製品に電力を供給して使用する他に、充電器の機能を具え、任意の時間と任意の場所で異なる電子製品に対して充電を行い、携帯型の充電を実現することを本考案の目的とする。
【０００５】
上述の目的を達成するため、本考案は充電器を具えた燃料電池装置を提供し、底台、底台にしっかりと固定し、陰極燃料入口は上表面の末端箇所に設置する燃料電池重畳部、燃料電池重畳部の第一側辺に設置するシステムファン、一端が燃料電池重畳部の第一側辺にしっかりと接合し、別一端がシステムファンにしっかりと接合するファンカバー、燃料電池重畳部の第二側辺に設置するディスプレイ、底台に垂直に固定し、燃料電池重畳部の第三側辺に設置する回路板、燃料電池装置の第四側辺と上表面に設置し、入風口をシステムファン接合するコンデンサー構造、コンデンサー構造の一側辺に固定するコンデンサーファン、コンデンサーファンと同じ側のコンデンサー構造の側辺にしっかりと合わせ、燃料電池装置の陽極燃料入口及びコンデンサー構造に各々通路連接する混合槽、混合槽の一側辺に設置するポンプを含む。
【課題を解決するための手段】
【０００６】
請求項１の考案は、充電器を具えた燃料電池装置において、
底台と、
底台にしっかりと固定し、陰極燃料入口は上表面の末端箇所に設置する燃料電池重畳部と、
燃料電池重畳部の第一側辺に設置するシステムファンと、
一端が燃料電池重畳部の第一側辺にしっかりと接合し、別一端がシステムファンにしっかりと接合するファンカバーと、
燃料電池重畳部の第二側辺に設置するディスプレイと、
底台に垂直に固定し、燃料電池重畳部の第三側辺に設置する回路板と、
燃料電池装置の第四側辺と上表面に設置し、入風口をシステムファン接合するコンデンサー構造と、
コンデンサー構造の一側辺に固定するコンデンサーファンと、
コンデンサーファンと同じ側のコンデンサー構造の側辺にしっかりと合わせ、燃料電池装置の陽極燃料入口及びコンデンサー構造に各々通路連接する混合槽と、
混合槽の一側辺に設置するポンプを含むことを特徴とする充電器を具えた燃料電池装置としている。
請求項２の考案は、請求項１記載の充電器を具えた燃料電池装置において、前記ディスプレイは、小型液晶ディスプレイとすることを特徴とする充電器を具えた燃料電池装置としている。
請求項３の考案は、請求項１記載の充電器を具えた燃料電池装置において、前記燃料電池重畳部は、長方形の柱形状の外観であることを特徴とする充電器を具えた燃料電池装置としている。
請求項４の考案は、請求項１記載の充電器を具えた燃料電池装置において、前記燃料電池装置は、更に少なくとも一個以上の回路部品を含み、そのうちこれらの回路部品は回路板上に設置し、且つこれらの回路部品は燃料電池重畳部に電気連接することを特徴とする充電器を具えた燃料電池装置としている。
請求項５の考案は、請求項１記載の充電器を具えた燃料電池装置において、前記燃料電池装置は、更に連接インターフェイスを含み、少なくとも燃料電池重畳部が発する出力端として用い、且つ電子装置に連接して用いることを特徴とする充電器を具えた燃料電池装置としている。
請求項６の考案は、請求項１記載の充電器を具えた燃料電池装置において、前記ポンプは、混合槽と外付け式の燃料層の間に通路連接し、燃料槽内の燃料を引き上げて混合槽の第一入口に流入させることを特徴とする充電器を具えた燃料電池装置としている。
請求項７の考案は、請求項６記載の充電器を具えた燃料電池装置において、前記燃料電池装置は、更に第一ポンプを含み、混合槽と燃料電池重畳部の間に通路連接し、混合槽内の燃料を引き上げて燃料電池重畳部の陽極燃料入口に流入させることを特徴とする充電器を具えた燃料電池装置としている。
請求項８の考案は、請求項７記載の充電器を具えた燃料電池装置において、前記燃料電池装置は、更に第二ポンプを含み、混合槽と燃料電池重畳部の間に通路連接し、混合槽内の燃料を引き上げて混合槽の第二入口に流入させることを特徴とする充電器を具えた燃料電池装置としている。
請求項９の考案は、請求項８記載の充電器を具えた燃料電池装置において、前記燃料電池重畳部は、その陽極燃料出口と混合槽の第三入口が相互に連接することを特徴とする充電器を具えた燃料電池装置としている。
請求項１０の考案は、請求項４記載の充電器を具えた燃料電池装置において、前記これらの回路部品は、電力管理回路を構築して用いることを特徴とする充電器を具えた燃料電池装置としている。
請求項１１の考案は、請求項５記載の充電器を具えた燃料電池装置において、前記電子装置は、ノート型パソコン、携帯電話、携帯個人情報端末及び携帯型電子機器のうちのひとつであることを特徴とする充電器を具えた燃料電池装置としている。
請求項１２の考案は、請求項１記載の充電器を具えた燃料電池装置において、前記混合槽は、メタノール水溶液を保存することを特徴とする充電器を具えた燃料電池装置としている。
請求項１３の考案は、請求項６記載の充電器を具えた燃料電池装置において、前記外付け式の燃料槽は、純メタノールを保存するのに用いることを特徴とする充電器を具えた燃料電池装置としている。
【考案の効果】
【０００７】
本考案の充電器機能を具えた燃料電池装置は自力発電ができ、更に水管理、熱管理などの機構を具え、旅行中及び電気システムのない地域においても使用できる。
【考案を実施するための最良の形態】
【０００８】
図１は、本考案の充電器を具えた燃料電池装置の外観立体図である。本考案の燃料電池装置１は、充電器となる。図１で示す外観から見るとおり、燃料電池装置１は少なくともディスプレイ１００と連接インターフェイス１０２を含む。この連接インターフェイス１０２は少なくとも燃料電池装置１内の燃料電池重畳部が発する電力の出力端とし、且つ一電子装置、例としてノート型パソコン、もしくは携帯電話もしくは携帯個人情報端末（ＰＤＡ）、もしくは携帯型電子機器を連接して用いる。連接インターフェイス１０２の具体的な手段として公知のＵＳＢもしくはケーブルなど各種電気連接器で実現し、更に連接インターフェイス１０２は５ボルト、もしくは９ボルトもしくは１２ボルトもしくは１７ボルト等一定の電圧で出力して電子装置に供給する連接端子を含む。他にディスプレイ１００は本考案に於いて燃料電池装置１が動く時の各種電子情報、例として電力不足もしくは飽和状態、故障排除などの情報を表示する。更にディスプレイ１００は本考案において小型液晶ディスプレイ（ＬＣＤ）を採用する。
【０００９】
図２は、本考案の燃料電池装置の内部組成構造の前面図及び部分透視図であり、図３は本考案燃料電池装置の内部組成構造の後方図で、図４は、図２の燃料電池装置の立体分解図である。図２及び図３に示すとおり、本考案の燃料電池装置１は、ディスプレイ１００、底台１０４、燃料電池重畳部１０６、システムファン１０８、ファンカバー１１０、回路板１１２、コンデンサー構造１１４、コンデンサーファン１１６、混合槽１１８及びポンプ１２０を含む。
【００１０】
以下、これらの部品に対して燃料電池装置１内部の設置方式を詳細に説明する。先ず、燃料電池重畳部１０６は、底台１０４に固定し、空気進入口箇所となる陰極燃料入口１０６０は燃料電池重畳部１０６の上表面の末端箇所に設置する。更に図２に示すとおり、燃料電池重畳部１０６は長方形状の外観である。システムファン１０８は燃料電池重畳部１０６の第一側辺に設置し、主な機能は空気を陰極燃料入口１０６０から燃料電池重畳部１０６内部の反応区へ引き込む。ファンカバー１１０の一端は同様に燃料電池重畳部１０６の第一側辺にしっかりと接合し、且つファンカバー１１０の別一端はシステムファン１０８にしっかりと接合する。ファンカバー１１０の設置によって、システムファン１０８が有効に空気を燃料電池重畳部１０６へ引き込む機能を高める。ディスプレイ１００は、燃料電池重畳部１０６の第二側辺に設置する。回路板１１２は、底台１０４に垂直に固定し、燃料電池重畳部１０６の第三側辺に設置する。本考案の燃料電池装置１は更に少なくとも一個以上の回路部品（図未提示）を含み、そのうちこれらの回路部品は回路板１１２上に設置し、且つこれらの回路板部品は燃料電池重畳部１０６と電気連接する。これらの回路部品は電力管理回路を築き、燃料電池重畳部１０６が発する電力エネルギーを電子装置の必要とする電力に符合させる。
【００１１】
続いてコンデンサー構造１１４、コンデンサーファン１１６、混合槽１１８及びポンプ１２０について説明する。図２に示すとおり、コンデンサー構造１１４は、燃料電池重畳部１０６の上表面に設置し、更にコンデンサー構造１１４の入風口はシステムファン１０８に接合する。ダイレクトメタノール燃料電池（ＤＭＦＣ）にとって、コンデンサー構造１１４はシステムファン１０８の水蒸気から凝結した液体水を用いる。当然、回収した凝結水は再び燃料電池に利用できる。コンデンサーファン１１６はコンデンサー構造１１４の一側辺にしっかりと固定し、その機能はコンデンサー構造１１４の凝結効果を促進する。混合槽１１８は、コンデンサーファン１１６と同じ側辺のコンデンサー構造１１４の側辺にしっかりと設置し、混合槽１１８は燃料電池重畳部１０６の陽極燃料入口及びコンデンサー構造１１４にそれぞれ連通する。ダイレクトメタノール燃料電池の場合、混合槽１１８はメタノール水溶液を保存するのに用いる。ポンプ１２０は混合槽１１８の一側辺にしっかりと設置し、且つ通常は一種のドージングポンプ(Dosing Pump)を採用して具体実施部品とする。
【００１２】
図５に示すのは、本考案燃料電池装置１の内部通路配置概略図である。
図５に示すとおり、ポンプは混合槽１１８と外付け式の燃料槽３０の間に通路連接し、燃料槽３０内の燃料を引き上げて混合槽１１８の第一入口１１８０へ流入させる。そのうち、燃料槽３０は通常高濃度の燃料を保存するのに用い、ダイレクトメタノール燃料電池の場合、燃料槽３０は純メタノールを保存するのに用いる。更に燃料電池装置１は更に第一ポンプ３２及び第二ポンプ３４を含む。第一ポンプ３２は混合槽１１８と燃料電池重畳部１０６の間に通路連接し、混合槽１１８内の燃料を引き上げ燃料電池重畳部１０６の陽極燃料入口１０６２に流入させる。第二ポンプ３４は混合槽１１８とコンデンサー構造１１４の間に通路連接し、コンデンサー構造１１４が発したコンデンサー水を引き上げて混合槽１１８の第二入口１１８２に流入させる。コンデンサー構造１１４が発したコンデンサー水は、燃料電池重畳部１０６が発した水蒸気３６が冷却放熱後凝結したものである。この他、本考案の燃料電池装置１の燃料電池重畳部１０６の陽極燃料出口１０６４は同時に混合槽１１８の第三入口と相互に通路連接する。これによって燃料電池重畳部１０６で反応が不完全な燃料を混合槽１１８へ回収しやすくする。
【図面の簡単な説明】
【００１３】
【図１】本考案の燃料電池装置の外観立体図である。
【図２】本考案の燃料電池装置の内部組成構造の前面図である。
【図３】本考案の燃料電池装置の後方図である。
【図４】図２の燃料電池装置の立体分解図である。
【図５】本考案の燃料電池装置の内部通路配置図である。
【符号の説明】
【００１４】
１        燃料電池装置
１００    ディスプレイ
１０２    連接インターフェイス
１０４    底台
１０６    燃料電池重畳部
１０６０  陰極燃料入口
１０６２  陽極燃料入口
１０６４  陽極燃料出口
１０８    システムファン
１１０    ファンカバー
１１２    回路板
１１４    コンデンサー構造
１１６    コンデンサーファン
１１８    混合槽
１１８０  第一入口
１１８２  第二入口
１１８４  第三入口
１２０    ポンプ
３０      燃料槽
３２      第一ポンプ
３４      第二ポンプ
３６      水蒸気
【図１】
0003134220.tif 000003
【図２】
0003134220.tif 000004
【図３】
0003134220.tif 000005
【図４】
0003134220.tif 000006
【図５】
0003134220.tif 000007